(57)【要約】【課題】両コネクタハウジングを正規の嵌合姿勢に立て直す。【解決手段】一方のコネクタハウジング２０にはカム溝６６を有するレバー６０が回動可能に装着される。レバー６０は、そのカム溝６６を他方のコネクタハウジング４０に設けられたカムフォロア４１に係合させた状態で回動され、両コネクタハウジング２０，４０を嵌合させる。レバー６０には、両コネクタハウジング２０，４０の嵌合姿勢が正規から傾いていた場合に、他方のコネクタハウジング４０に設けられた姿勢矯正ピン４２を受容してこのレバー６０の回動によって嵌合姿勢の傾きを矯正する姿勢矯正溝７３が設けられている。【選択図】図３
2009104904.tif 000002
【特許請求の範囲】
【請求項１】
互いに嵌合可能な一対のコネクタハウジングと、
前記両コネクタハウジングのうちの一方のコネクタハウジングに装着され、他方のコネクタハウジングに設けられたカムファロアと係合可能なカム溝を有し、その回動に基づく前記カム溝と前記カムフォロアとのカム作用によって前記両コネクタハウジングを嵌合させるレバーとを備えたコネクタであって、
前記レバーには、前記両コネクタハウジングの嵌合姿勢が正規から傾いていた場合に、前記他方のコネクタハウジングに設けられた姿勢矯正ピンを受容してこのレバーの回動によって前記嵌合姿勢の傾きを矯正する姿勢矯正溝が設けられていることを特徴とするレバー式コネクタ。
【請求項２】
前記レバーは、前記一方のコネクタハウジングの幅方向中央部に回動支点及び前記カム溝の入り口を有して幅方向一側に向かって回動され、
前記姿勢矯正溝は、前記カム溝と隣接して並び、前記カム溝が前記カムフォロアを受け入れるのとほぼ同じタイミングで前記姿勢矯正ピンを受け入れることを特徴とする請求項１に記載のレバー式コネクタ。
【請求項３】
前記カム溝は、前記両コネクタハウジングの嵌合過程で前記カムフォロアが摺接して前記カム作用を発揮する嵌合カム面と、この嵌合カム面の反対側に位置し、前記両コネクタハウジングの嵌合終盤で前記姿勢矯正溝と入れ替わって前記両コネクタハウジングの嵌合姿勢を矯正するべく前記カムフォロアと摺接可能な補助矯正面とを有していることを特徴とする請求項２に記載のレバー式コネクタ。
【請求項４】
前記レバーは、前記一方のコネクタハウジングの幅方向他側に回動支点及び前記カム溝の入り口を有して幅方向一側に向かって回動され、
前記姿勢矯正溝は、前記カム溝から離れた幅方向一側に位置し、前記両コネクタハウジングの嵌合終盤で前記姿勢矯正ピンを受け入れることを特徴とする請求項１に記載のレバー式コネクタ。
【請求項５】
前記姿勢矯正溝は、前記両コネクタハウジングの嵌合に伴う抵抗が最大となったときに前記姿勢矯正ピンと係合することを特徴とする請求項４に記載のレバー式コネクタ。
【発明の詳細な説明】
【技術分野】
【０００１】
本発明は、レバー式コネクタに関する。
【背景技術】
【０００２】
レバー式コネクタとして、特許文献１に記載のものが知られている。これは、カム溝を有するレバーが回動可能に装着された一方のコネクタハウジングと、カム溝と係合可能なカムフォロアを有する他方のコネクタハウジングとを備え、レバーの回動によってカム溝とカムフォロアとでカム作用が発揮されることにより、両コネクタハウジングが低操作力で嵌合されるようになっている。
【特許文献１】特開２００４−２８８４４２公報
【発明の開示】
【発明が解決しようとする課題】
【０００３】
上記の場合、両コネクタハウジングの嵌合過程で、レバーの回動方向にこのレバーの操作力が偏在するため、回動によってレバーが近づく側では遠ざかる側より早く嵌合を進める傾向にあった。そのため、両コネクタハウジングの嵌合領域間に生じる隙間の範囲で、両コネクタハウジングが正規の嵌合姿勢から傾いた状態となることがあった。
【０００４】
これに対し、例えば、レバーの回動支点をコネクタハウジングの幅方向中央から片側にずらすことにより、レバーの操作力がコネクタハウジングの幅方向中央にバランスよく作用するようにして、両コネクタハウジングが傾かないようにする方策も考えられた。しかし、レバーの操作力をコネクタハウジングの幅方向中央に設定して嵌合バランスをとるのは設計上難しく、レバーの回動支点を片側にずらしたがため、上記とは逆向きの傾きを生じることがあった。
【０００５】
本発明は上記のような事情に基づいて完成されたものであって、両コネクタハウジングを正規の嵌合姿勢に立て直すことを目的とする。
【課題を解決するための手段】
【０００６】
上記の目的を達成するための手段として、請求項１の発明は、互いに嵌合可能な一対のコネクタハウジングと、前記両コネクタハウジングのうちの一方のコネクタハウジングに装着され、他方のコネクタハウジングに設けられたカムファロアと係合可能なカム溝を有し、その回動に基づく前記カム溝と前記カムフォロアとのカム作用によって前記両コネクタハウジングを嵌合させるレバーとを備えたコネクタであって、前記レバーには、前記両コネクタハウジングの嵌合姿勢が正規から傾いていた場合に、前記他方のコネクタハウジングに設けられた姿勢矯正ピンを受容してこのレバーの回動によって前記嵌合姿勢の傾きを矯正する姿勢矯正溝が設けられている構成としたところに特徴を有する。
【０００７】
請求項２の発明は、請求項１に記載のものにおいて、前記レバーは、前記一方のコネクタハウジングの幅方向中央部に回動支点及び前記カム溝の入り口を有して幅方向一側に向かって回動され、前記姿勢矯正溝は、前記カム溝と隣接して並び、前記カム溝が前記カムフォロアを受け入れるのとほぼ同じタイミングで前記姿勢矯正ピンを受け入れるところに特徴を有する。
【０００８】
請求項３の発明は、請求項２に記載のものにおいて、前記カム溝は、前記両コネクタハウジングの嵌合過程で前記カムフォロアが摺接して前記カム作用を発揮する嵌合カム面と、この嵌合カム面の反対側に位置し、前記両コネクタハウジングの嵌合終盤で前記姿勢矯正溝と入れ替わって前記両コネクタハウジングの嵌合姿勢を矯正するべく前記カムフォロアと摺接可能な補助矯正面とを有しているところに特徴を有する。
【０００９】
請求項４の発明は、請求項１に記載のものにおいて、前記レバーは、前記一方のコネクタハウジングの幅方向一側に回動支点及び前記カム溝の入り口を有して幅方向他側に向かって回動され、前記姿勢矯正溝は、前記カム溝から離れた幅方向他側に位置し、前記両コネクタハウジングの嵌合終盤で前記姿勢矯正ピンを受け入れるところに特徴を有する。
【００１０】
請求項５の発明は、請求項４に記載のものにおいて、前記姿勢矯正溝は、前記両コネクタハウジングの嵌合に伴う抵抗が最大となったときに前記姿勢矯正ピンと係合するところに特徴を有する。
【発明の効果】
【００１１】
＜請求項１の発明＞
レバーの回動に伴い、両コネクタハウジングの嵌合姿勢が正規から傾いても、姿勢矯正ピンが姿勢矯正溝に受容されてその傾きが矯正されるから、両コネクタハウジングを正規の嵌合姿勢に立て直すことができる。
【００１２】
＜請求項２の発明＞
レバーが幅方向一側に向かって回動されるため、幅方向他側で両コネクタハウジングの嵌合が遅れる懸念があるが、本発明によれば、カム溝がカムフォロアを受け入れるのとほぼ同じタイミングで姿勢矯正溝が姿勢矯正ピンを受け入れるため、両コネクタハウジングの嵌合初期で発生する傾きに対応可能となり、幅方向他側における嵌合の遅れを阻止できる。
【００１３】
＜請求項３の発明＞
嵌合終盤に至って両コネクタハウジングが正規の嵌合姿勢をとっていない場合に、カム溝の補助矯正面によってその姿勢を正しく直すことができる。
【００１４】
＜請求項４の発明＞
レバーが一方のコネクタハウジングの幅方向他側に回動支点及びカム溝の入り口を有して幅方向一側に向かって回動されるため、幅方向一側で両コネクタハウジングの嵌合が遅れる懸念があるが、本発明によれば、幅方向一側に位置する姿勢矯正溝が嵌合終盤で姿勢矯正ピンを受け入れることにより、嵌合終盤で幅方向一側における嵌合の遅れをとり戻せる。
【００１５】
＜請求項５の発明＞
両コネクタハウジングの嵌合に伴う抵抗が最大となったときに、姿勢矯正溝が姿勢矯正ピンと係合するから、両コネクタハウジングの幅方向両側に抵抗力が分散され、嵌合バランスが良好に保たれる。
【発明を実施するための最良の形態】
【００１６】
＜実施形態１＞
本発明の実施形態１を図１ないし図５によって説明する。本実施形態のコネクタ１０は、互いに嵌合可能な一対のコネクタハウジング２０，４０と、このうちの一方のコネクタハウジング２０に回動可能に装着されたレバー６０とを備えている。なお、以下の説明において前後方向については両コネクタハウジング２０，４０の互いの嵌合面側を前方とする。
【００１７】
一方のコネクタハウジング２０は合成樹脂製であって、図５に示すように、幅方向に細長い形状をなし、横長ブロック状のハウジング本体２１と、ハウジング本体２１の周りを取り囲む嵌合凹部２２とを備えている。ハウジング本体２１内には複数の雌側端子金具（図示せず）が収容されており、嵌合によって相手の雄側端子金具（図示せず）と導通接続されるようになっている。
【００１８】
ハウジング本体２１の後端部には左右で対をなす係止片２３が後方に突出して設けられている。このハウジング本体２１の後端部には、各雌側端子金具に接続される電線を所定方向に引き出すための電線カバー（図示せず）が取り付けられ、係止片２３によってハウジング本体２１への保持がなされるようになっている。
【００１９】
また、ハウジング本体２１の幅方向中央部（一方のコネクタハウジング２０の幅方向中央部でもある）の後端には、後方へ張り出す拡張部２４が付設されており、この拡張部２４の外面に、レバー６０を軸支する支軸２５が突設されている。この支軸２５は高さ方向で対をなし、図示する面と反対側の面にも設けられている。
【００２０】
嵌合凹部２２は、ハウジング本体２１の外面の略前半部を覆うように配置される。嵌合凹部２２の幅方向中央部（一方のコネクタハウジング２０の幅方向中央部でもある）には、他方のコネクタハウジング４０に設けられたカムフォロア４１と姿勢矯正ピン４２とを受け入れ可能な進入溝２６が前後方向に切り欠いて設けられている。進入溝２６の後縁には、嵌合に伴うレバー６０の拡開を防止する左右一対の拡開防止縁２７が円弧状に設けられている。
【００２１】
他方のコネクタハウジング４０は同じく合成樹脂製であって、横長角筒状のフード部４３を備え、ハウジング本体２１に内嵌可能となっている。フード部４３内には、雌側端子金具と対応する位置毎に、雄側端子金具のタブ（図示せず）が突出して配置されている。そして、フード部４３の幅方向両側縁の前端部には、左右一対のロック部４４が設けられている。ロック部４４は、外向きに突出するロック爪４５を有し、このロック爪４５の引っ掛け係止によってレバー６０を回動規制状態に保持し、これによって両コネクタハウジング２０，４０を離脱規制状態に保持するようになっている。
【００２２】
また、フード部４３の外面の幅方向中央部（他方のコネクタハウジング４０の幅方向中央でもある）には、レバー６０との間にカム作用を発揮する円柱状のカムフォロア４１が突設されている。このカムフォロア４１は高さ方向で対をなし、図示する面と反対側の面にも設けられている。さらに、フード部４３の外面のうち幅方向中央部より一側に寄った位置には、カムフォロア４１と同形状の姿勢矯正ピン４２が設けられている。姿勢矯正ピン４２は、カムフォロア４１と前後位置を揃えて配置され、カムフォロア４１と幅方向の同軸上で並び合う位置関係にある。
【００２３】
レバー６０は同じく合成樹脂製であって、図１ないし図４に示すように、操作部６１と操作部６１の両端から平行に突出する一対のアーム部６２とからなり、図示はないが正面から見ると門型をなしている。アーム部６２は、板状をなし、操作部６１から離れた端部に円弧状の外周縁を有し、その円弧の中心に軸受け孔６３を有している。かかるレバー６０は、一方のコネクタハウジング２０に後方から跨ぐように取り付けられ、軸受け孔６３に支軸２５を貫通保持させることで、支軸２５を中心として初期位置と嵌合位置との間を回動可能となっている。レバー６０が初期位置にあるときには、操作部６１が一方のコネクタハウジング２０の後方でかつ幅方向一側に離間して配置され、レバー６０が嵌合位置にあるときには、操作部６１が一方のコネクタハウジング２０の幅方向一側に重なって配置される。よって、レバー６０は、初期位置から嵌合位置にかけて一方のコネクタハウジング２０からの突出量を次第に減じるようになっている。
【００２４】
操作部６１には下向きに突出するロック受け爪６４を有するロック受け部６５が設けられている。レバー６０が嵌合位置に至ったとき、ロック受け爪６４はロック爪４５に弾性的に係止され、これによってレバー６０の初期位置側への戻り操作が規制されるようになっている。  
アーム部６２における円弧状の外周縁は、外面側の除肉によって薄肉となっており、拡開防止縁２７の内側に進入可能となっている。
【００２５】
そして、アーム部６２の内側面には、円弧状の外周縁に開口する有底のカム溝６６が設けられている。カム溝６６は、軸受け孔６３に向かって直線状に延びる第１導入部６７と、軸受け孔６３の周りを所定曲線に沿って延びる第１作用部６８とからなる。カム溝６６の第１導入部６７の入り口は、レバー６０が初期位置にあるときに、一方のコネクタハウジング２０の幅方向中央部の前端に臨み、前方から進入するカムフォロア４１を受け入れ可能とされる。
【００２６】
カム溝６６の第１作用部６８における相対向する溝面のうちの一方（軸受け孔６３に近いほう）は、両コネクタハウジング２０，４０の嵌合過程でカムフォロア４１が摺接してカム作用を発揮し得る嵌合カム面７１とされ、他方（軸受け孔６３から遠いほう）の奥側は、嵌合終盤で両コネクタハウジング２０，４０の嵌合姿勢が正規から傾いていた場合にその傾きを矯正する方向にカムフォロア４１が摺接可能な補助矯正面７２とされる。なお、補助矯正面７２には、両コネクタハウジング２０，４０の離脱時にカムフォロア４１が摺接可能とされる。
【００２７】
また、アーム部６２の内側面には、カム溝６６と幅方向一側で隣接して並列に配置され、円弧状の外周面にカム溝６６と並んで同じ向きで開口する有底の姿勢矯正溝７３が設けられている。姿勢矯正溝７３は、姿勢矯正ピン４２を受容して同ピン４２に係合可能とされ、両コネクタハウジング２０，４０の嵌合姿勢が正規から傾いていた場合にその傾きを徐々に矯正する向きに延出する形態となっている。詳しくは姿勢矯正溝７３は、第１導入部６７と平行して直線状に延びる第２導入部７４と、軸受け孔６３の周りを第１作用部６８とは異なる曲率で延びる第２作用部７５とからなる。第２導入部７４の入り口は、レバー６０が初期位置にあるときに、外周縁の円弧形状に起因して第１導入部６７の入り口より僅かに後退して位置するが、姿勢矯正ピン４２を受容するタイミングは、第１導入部６７にカムフォロア４１が進入するときとほぼ同じとされる。
【００２８】
そして、姿勢矯正溝７３の第２作用部７５における相対向する溝面のうちの一方（軸受け孔６３に近いほう）の奥側は、嵌合終盤で姿勢矯正ピン４２が摺接してカム作用を発揮し得る補助カム面７６とされ、他方（軸受け孔６３から近いほう）は、嵌合過程で両コネクタハウジング２０，４０の嵌合姿勢が正規から傾いていた場合にその傾きを矯正する方向に姿勢矯正ピン４２が摺接可能な姿勢矯正面７７とされる。
【００２９】
次に、本実施形態のコネクタ１０の作用効果を説明する。  
まず、図１に示すように、一方のコネクタハウジング２０にレバー６０を組み付けて初期位置に保持させる。続いて、一方のコネクタハウジング２０を他方のコネクタハウジング４０に浅く嵌合させて、カム溝６６の第１導入部６７にカムフォロア４１を進入させるとともに、それとほぼ同じタイミングで姿勢矯正溝７３の第２導入部７４に姿勢矯正ピン４２を進入させる。その状態で、操作部６１を摘みつつレバー６０を支軸２５を中心に図示反時計周りに回動させる。このとき、両コネクタハウジング２０，４０が正規の嵌合姿勢を保っていれば、レバー６０の回動に伴い、カムフォロア４１が第１作用部６８の嵌合カム面７１を摺接することによってカム作用が発揮され、両コネクタハウジング２０，４０が互いに引き寄せられる。この間、姿勢矯正ピン４２は、姿勢矯正溝７３の溝面と非摺接状態に保たれる。こうしてレバー６０が嵌合位置に至ると、図２に示すように、カムフォロア４１がカム溝６６の奥端に到達するとともに姿勢矯正ピン４２が姿勢矯正溝７３の奥端に到達し、ロック部４４がロック受け部６５を弾性的に係止してレバー６０の回動が規制され、さらに両コネクタハウジング２０，４０の離脱も規制されて嵌合状態に保持される。
【００３０】
ところで、本実施形態においては、両コネクタハウジング２０，４０が幅方向に細長い形状とされ、レバー６０が幅方向一側に向かって回動されることに起因し、幅方向一側では嵌合が早まり、幅方向他側では嵌合が遅くなる嫌いがある。そのため、レバー６０の操作力が幅方向一側に偏向して作用し、幅方向他側で一方のコネクタハウジング２０の前面がフード部４３の奥面から浮き上がるようにして、両コネクタハウジング２０，４０が正規の嵌合姿勢から傾いた姿勢をとるおそれがある。
【００３１】
しかるに本実施形態においては、上記のように両コネクタハウジング２０，４０が傾き姿勢をとったときに、図３に示すように、姿勢矯正ピン４２が姿勢矯正溝７３の姿勢矯正面７７を摺接し、レバー６０の回動に伴って両コネクタハウジング２０，４０の傾き姿勢が徐々に立て直されるようになっている。また、嵌合終盤に至って両コネクタハウジング２０，４０が正規姿勢を越えて上記とは逆の傾き姿勢をとった場合、図４に示すように、こんどはカムフォロア４１がカム溝６６の補助矯正面７２を摺接し、かつ、姿勢矯正ピン４２が姿勢矯正溝７３の補助カム面７６を摺接することにより、両コネクタハウジング２０，４０が正規の嵌合姿勢に向かって次第に矯正されるようになっている。したがって、レバー６０が嵌合完了位置に至ると、上記同様、両コネクタハウジング２０，４０が正規の嵌合姿勢で保持されることとなる。
【００３２】
以上説明したように本実施形態によれば、レバー６０の回動に伴って両コネクタハウジング２０，４０が正規の嵌合姿勢から傾いても、姿勢矯正ピン４２が姿勢矯正溝７３に受容されてその傾きが矯正されるから、両コネクタハウジング２０，４０を正規の嵌合姿勢にすることができる。
【００３３】
また、レバー６０が幅方向一側に向かって回動されるため、幅方向他側で両コネクタハウジング２０，４０の嵌合が遅れる懸念があるが、本発明によれば、カム溝６６がカムフォロア４１を受け入れるのとほぼ同じタイミングで姿勢矯正溝７３が姿勢矯正ピン４２を受け入れるため、両コネクタハウジング２０，４０の嵌合初期で発生する傾きに対応可能となり、幅方向他側における嵌合の遅れを阻止できる。
【００３４】
さらに、嵌合終盤に至って姿勢矯正ピン４２と姿勢矯正溝７３とによる姿勢矯正作用によってもなお両コネクタハウジング２０，４０が正規の嵌合姿勢をとっていない場合、カム溝６６の補助矯正面７２によってその姿勢を正しく直すことができる。
【００３５】
＜実施形態２＞
次に、本発明の実施形態２を図６ないし図１０によって説明する。なお、実施形態２のコネクタ１０では、実施形態１と基本的構成が共通しているため、実施形態１と共通する部位には同一符号を付す。また、以下では実施形態１と相違する部分を中心に説明する。
【００３６】
一方のコネクタハウジング２０は、幅方向に細長い形状であって、雌型端子金具を収容可能なハウジング本体２１とその周りを取り囲む嵌合凹部２２とを備えている。嵌合凹部２２の後端部の幅方向他側には、レバー６０を軸支するための支軸２５が突設されており、この支軸２５がレバー６０の軸受け孔６３に貫通保持されることで、レバー６０が一方のコネクタハウジング２０に回動可能に装着されるようになっている。また、嵌合凹部２２には他方のコネクタハウジング４０に設けられた姿勢矯正ピン４２とカムフォロア４１とを受け入れる進入溝２６が切り欠いて設けられている。進入溝２６は、姿勢矯正ピン４２の受け入れ位置とカムフォロア４１の受け入れ位置のそれぞれに対応するように、幅方向に離間して配置されている。
【００３７】
また、他方のコネクタハウジング４０は、嵌合凹部２２を外嵌可能なフード部４３を有し、フード部４３内に雄側端子金具のタブが突出して配置されている。フード部４３の内面には、幅方向他側に円柱状のカムフォロア４１が突設され、幅方向一側にカムフォロア４１と同形状の姿勢矯正ピン４２が突設されている。カムフォロア４１と姿勢矯正ピン４２は、幅方向の同軸上で互いに離間して配置されている。
【００３８】
レバー６０は、操作部６１と操作部６１の両端から平行に突出する一対のアーム部６２とで門型をなしている。そして、レバー６０は、支軸２５を中心として初期位置と嵌合位置との間を幅方向他側から幅方向一側にかけて回動可能となっている。アーム部６２は板状であって、操作部６１の近くにその外周縁が円弧状をなす第１円弧部７８を有するとともに、操作部６１から離れてその外周縁が同じく円弧状をなす第２円弧部７９を有している。第２円弧部７９の外周縁は薄肉とされ、進入溝２６の拡開防止縁２７の内側に進入可能とされる。
【００３９】
そして、レバー６０には、第２円弧部７９の円弧の中心に支軸２５を嵌合可能な軸受け孔６３が設けられるとともに、所定曲線に沿って延びて第２円弧部７９に開口するカム溝６６が設けられている。カム溝６６は、軸受け孔６３に向かって真直ぐ延びる導入部６７と、導入部６７の終端に連なってカム曲線を描く作用部６８とからなり、レバー６０が初期位置にあるときに、導入部６７の入り口が一方のコネクタハウジング２０の前端に臨んでカムフォロア４１を受け入れ可能となっている。
【００４０】
また、レバー６０には、所定の円弧を描いて第１円弧部７８に開口する姿勢矯正溝７３が設けられている。姿勢矯正溝７３は、両コネクタハウジング２０，４０が嵌合終盤に至ったときに、姿勢矯正ピン４２を受容して係合可能とされ、さらなるレバー６０の回動に伴い、姿勢矯正ピン４２が姿勢矯正溝７３の溝面を摺接して、両コネクタハウジング２０，４０の嵌合姿勢を矯正可能となっている。姿勢矯正溝７３が姿勢矯正ピン４２と係合するタイミングは、雌雄の両端子金具８０，９０の接続に起因して両コネクタハウジング２０，４０の嵌合力が最大値を迎えたときと同じ時期に設定されている。
【００４１】
ここで、両コネクタハウジング２０，４０を浅く嵌合した状態からレバー６０を嵌合位置に向かって回動すると、カムフォロア４１がカム溝６６の作用部６８に沿って移動してカム作用が発揮され、両コネクタハウジング２０，４０が互いに引き寄せられて、正規嵌合位置に至ることとなる。この正規嵌合位置では、図１０に示すように、雌雄の両端子金具８０，９０が正規深さで導通接続される。また、姿勢矯正ピン４２が姿勢矯正溝７３の奥端に当接状態で配置される。
【００４２】
上記の場合、レバー６０が軸支されるとともにカム作用が発揮される部位が両コネクタハウジング２０，４０の幅方向他側に偏在しているため、レバー６０の回動に伴い、幅方向一側で一方のコネクタハウジング２０が他方のコネクタハウジング４０から浮き上がるようにして両コネクタハウジング２０，４０が正規の嵌合姿勢から傾いた状態となるおそれがある。
【００４３】
しかるに実施形態２においては、図８から図９に示すように、嵌合終盤に至って姿勢矯正溝７３に姿勢矯正ピン４２が受容され、その後、嵌合完了に至るまで姿勢矯正ピン４２が姿勢矯正溝７３の溝面を摺接することにより、両コネクタハウジング２０，４０の傾き姿勢が立て直されるから、レバー６０が嵌合位置に至ったときには両コネクタハウジング２０，４０が正規の嵌合姿勢に矯正されることとなる。しかも、実施形態２によれば、両コネクタハウジング２０，４０の嵌合に伴う抵抗が最大となったときに、姿勢矯正溝７３が姿勢矯正ピン４２と係合するから、両コネクタハウジング２０，４０の幅方向両側に抵抗力が分散され、嵌合バランスが良好に保たれることとなる。
【００４４】
＜他の実施形態＞
本発明は上記記述及び図面によって説明した実施形態に限定されるものではなく、例えば次のような実施形態も本発明の技術的範囲に含まれる。  
（１）レバーは一枚板状をなす形態であってもよい。  
（２）レバーは雄側端子金具を収容する雄型コネクタハウジングに装着される形態であってもよい。  
（３）姿勢矯正ピンとカムフォロアは互いに異形であってもよい。
【図面の簡単な説明】
【００４５】
【図１】本発明の実施形態１において、両コネクタハウジングが嵌合される前の状態を示す側面図
【図２】レバーが嵌合位置に至って両コネクタハウジングが正規嵌合された状態を示す側面図
【図３】両コネクタハウジングの嵌合姿勢が正規から傾いた直後の状態を示す側面図
【図４】嵌合終盤に至って両コネクタハウジングの嵌合姿勢が立て直される状態を示す側面図
【図５】一方のコネクタハウジングの側面図
【図６】本発明の実施形態２において、両コネクタハウジングが嵌合される前の状態を示す一部破断した側面図
【図７】両コネクタハウジングが嵌合される途中の状態を示す一部破断した側面図
【図８】嵌合終盤に至って姿勢矯正溝に姿勢矯正ピンが受容された状態を示す一部破断した側面図
【図９】レバーが嵌合位置に至って両コネクタハウジングが正規嵌合された状態を示す一部破断した側面図
【図１０】両端子金具が正規深さで接続された状態を示す側断面図
【符号の説明】
【００４６】
１０…コネクタ
２０…一方のコネクタハウジング
４０…他方のコネクタハウジング
４１…カムフォロア
４２…姿勢矯正ピン
６０…レバー
６２…アーム部
６３…支軸
６７…カム溝
７１…嵌合カム面
７３…姿勢矯正溝
７７…姿勢矯正面
【図１】
2009104904.tif 000003
【図２】
2009104904.tif 000004
【図３】
2009104904.tif 000005
【図４】
2009104904.tif 000006
【図５】
2009104904.tif 000007
【図６】
2009104904.tif 000008
【図７】
2009104904.tif 000009
【図８】
2009104904.tif 000010
【図９】
2009104904.tif 000011
【図１０】
2009104904.tif 000012